(57)【特許請求の範囲】
【請求項１】
受信盤と、信号線を介して上記受信盤と通信される信号変換器と、上記信号変換器に接続される１つ以上の接続機器とを具備する防災システムにおいて、
上記信号変換器は、
上記接続機器である、手動通報機、消火栓起動スイッチ、避難連絡坑扉、圧力スイッチの平常状態、動作状態、断線状態を検出する機能を有し、サンプリングタイミングをずらして上記接続機器の出力を切替入力し、上記接続機器の状態を検出する動作信号検出手段と；
上記動作信号検出手段で検出した上記接続機器の状態を上記受信盤へ通知するための信号に変換する信号処理手段と；
正常に動作した場合は、上記切替入力によって同時にオンすることがない上記接続機器に対応する出力信号を、上記受信盤との間で伝送するための伝送制御手段と；
を有し、
上記受信盤は、
上記信号変換器からの出力信号を受信する端末伝送制御手段と；
上記信号変換器に対応する区画割当と接続機器の個数との情報を格納したデータベースと；
上記接続機器に対応する出力信号の全てが同時にオンしたことを上記端末伝送制御手段が受信したかどうかを、上記データベースに格納されている情報と照合して判断する判断手段と；
上記複数の出力信号の全てが同時にオンしたことを、上記端末伝送制御手段が受信していないと上記判断手段が判断すると、受信している出力信号に対応する接続機器が作動したことを表示部に表示する表示制御手段と；
を有し、信号変換器の故障による誤表示を防止することを特徴とする防災システム。
【請求項２】
請求項１において、
上記判断手段は、上記端末伝送制御手段が上記信号変換器からの出力信号を受信してから第１の遅延時間の後に上記判断を行い、一過性のノイズによる誤表示を防止することを特徴とする防災システム。
【請求項３】
請求項１または２において、
上記接続機器の数が１であった場合、上記判断手段が上記出力信号の全てを同時にオンしたことを受信したと判断して第２の遅延時間が経過した後に、上記表示制御部は受信している出力信号に対応する接続機器が作動したことを表示部に表示することを特徴とする防災システム。
【請求項４】
請求項１または２において、
上記接続機器は複数が同時に動作することはあり得ないものであり、
上記判断手段が、上記出力信号の全てが同時にオンしたことを受信したと判断して第２の遅延時間が経過した後に、
上記判断手段が、上記出力信号の少なくとも１つを継続して受信していないと判断した場合、上記表示制御部は受信している出力信号に対応する接続機器が作動したことを表示部に表示し、
上記判断手段が上記出力信号の全てを継続して受信していると判断した場合、第２の遅延時間が経過した後に上記判断手段による判断を繰り返し、上記表示制御部は受信している出力信号に対応する接続機器が作動したことを表示部に表示しないことを特徴とする防災システム。
【発明の詳細な説明】
【技術分野】
【０００１】
本発明は、防災システムに関する。
【背景技術】
【０００２】
従来の防災監視装置は、火災の発生がなく、第１監視エリアに人が入り、セット／解除スイッチを解除モードにし、防犯センサがオンであれば、第１監視エリアに人体が存在すると判断し、アナログ火災感知器の感度を変更する。
【０００３】
すなわち、セット／解除スイッチと防犯センサとによって人体の存在を検出すると、切換え制御手段がアナログ火災感知器の火災判断レベルを切り換える。制御部は、メモリ部の感度変更テーブルを参照し、アナログ火災感知器の端末アドレスに対応した変更感度に基づいて感度を変更する（たとえば、特許文献１参照）。
【０００４】
そして、従来は、１つの防犯センサがノイズによる誤動作を生じると、受信機がアナログ火災感知器の感度を高くすることがある。
【先行技術文献】
【特許文献】
【０００５】
【特許文献１】特開平７−２３０５９２号公報
【発明の概要】
【発明が解決しようとする課題】
【０００６】
しかし、上記従来例では、センサを具備する接続機器が、一過性のノイズを受信すると、受信機は、誤表示を生じるという問題がある。
【０００７】
本発明は、ノイズによる一過性の信号を、接続機器から受信しても、または、接続機器の動作信号検出手段が故障しても、受信盤が誤表示をしない防災システムを提供することを目的とする。
【課題を解決するための手段】
【０００８】
本発明の防災システムは、受信盤と、信号線を介して上記受信盤と通信される信号変換器と、上記信号変換器に接続される１つ以上の接続機器とを具備する防災システムにおいて、上記信号変換器は、上記接続機器である、手動通報機、消火栓起動スイッチ、避難連絡坑扉、圧力スイッチの平常状態、動作状態、断線状態を検出する機能を有し、サンプリングタイミングをずらして上記接続機器の出力を切替入力し、上記接続機器の状態を検出する動作信号検出手段と、上記動作信号検出手段で検出した上記接続機器の状態を上記受信盤へ通知するための信号に変換する信号処理手段と、正常に動作した場合は、上記切替入力によって同時にオンすることがない上記接続機器に対応する出力信号を、上記受信盤との間で伝送するための伝送制御手段とを有し、上記受信盤は、上記信号変換器からの出力信号を受信する端末伝送制御手段と、上記信号変換器に対応する区画割当と接続機器の個数との情報を格納したデータベースと、上記接続機器に対応する出力信号の全てが同時にオンしたことを上記端末伝送制御手段が受信したかどうかを、上記データベースに格納されている情報と照合して判断する判断手段と、上記複数の出力信号の全てが同時にオンしたことを、上記端末伝送制御手段が受信していないと上記判断手段が判断すると、受信している出力信号に対応する接続機器が作動したことを表示部に表示する表示制御手段とを有し、信号変換器の故障による誤表示を防止することを特徴とする。
【発明の効果】
【０００９】
本発明によれば、防災システムにおいて、スイッチまたはセンサを具備する接続機器から、一過性のノイズを受信しても、または、接続機器の動作信号検出手段が故障しても、受信盤が誤表示をしないという効果を奏する。
【図面の簡単な説明】
【００１０】
【図１】本発明の実施例１である防災システム１００を示す図である。
【図２】実施例１において、信号変換器３０が出力する信号例を示す図である。
【図３】実施例１における受信盤１０の動作を示すフローチャートである。
【図４】実施例１において、一過性のノイズを検出した場合、動作信号検出手段３１の故障を検出した場合のそれぞれにおける遅延動作の例と表示動作の例とを示す図である。
【発明を実施するための形態】
【００１１】
発明を実施するための形態は、以下の実施例である。
【実施例１】
【００１２】
図１は、本発明の実施例１である受信盤１０を具備する防災システム１００を示す図である。
【００１３】
防災システム１００は、トンネル用防災システムであり、受信盤１０と、各系統毎に受信盤１０に接続される信号変換器３０と、接続機器２０とを有する。
【００１４】
受信盤１０は、端末伝送制御手段１１と、信号処理手段１２と、メイン制御手段１３と、表示処理・外部警報処理手段１５と、データベース１４とを有する。信号処理手段１２は、動作遅延タイマＴＭ１、ＴＭ２を有する。
【００１５】
端末伝送制御手段１１は、信号変換器３０との間で伝送するための送信回路・受信回路機能を有する。
【００１６】
信号処理手段１２は、信号変換器３０からの送信信号を端末伝送制御手段１１が受信した信号を解析する機能を有する。
【００１７】
メイン制御手段１３は、信号処理手段１２が解析した内容とデータベース１４に格納されている情報とを照合し、信号変換器３０からの送信信号の内容を確定する機能を有し、この確定後に、表示処理・外部警報処理手段１５に内容を通知する。また、メイン制御手段１３は、送信信号の内容が動作信号であれば、遅延を実行する機能を有する。
【００１８】
データベース１４は、信号変換器３０からの送信信号（＝手動通報、消火栓起動スイッチ、避難連絡坑扉、圧力スイッチ）がそれぞれ、トンネル内のどの区画に割り当てているかを示すデータを格納し、また、接続機器の個数をも格納している。
【００１９】
表示処理・外部警報処理手段１５は、メイン制御手段１３から通知された内容にしたがい、該当区画にＬＥＤ等の点灯表示を実行する機能と、外部の設備に警報信号を出力する機能とを有する。
【００２０】
動作遅延タイマＴＭ１は、手動通報機２１・消火栓起動スイッチ２２・避難連絡坑扉２３・圧力スイッチ２４の動作入力信号が正常動作によるものであるのか、一過性のノイズによるものであるのかを判定するために、動作入力信号を遅延させるためのタイマである。
【００２１】
動作遅延タイマＴＭ２は、動作遅延タイマＴＭ１の遅延終了後に、手動通報機２１・消火栓起動スイッチ２２・避難連絡坑扉２３・圧力スイッチ２４の動作入力信号が継続しており、しかも、動作入力数が接続されているセンサと同数であれば、正常動作によるものであるのか、基板故障によるものであるのかを判定するために、動作入力信号を遅延させるためのタイマである。
【００２２】
接続機器２０は、手動通報機２１と、消火栓起動スイッチ２２と、避難連絡坑扉２３と、圧力スイッチ２４とを有する。手動通報機２１と、消火栓起動スイッチ２２とは、ロックスイッチ（図示せず）を有する。避難連絡坑扉２３は、扉が開放されている間にオンするロックスイッチ（図示せず）を有する。圧力スイッチ２４は、水噴霧設備（図示せず）における放水用配管内に水が流れている間、オンするスイッチである。
【００２３】
受信盤１０は、接続機器２０の故障または一過性のノイズによる誤報を防止する実施例である。
【００２４】
信号変換器３０は、動作信号検出手段３１と、信号処理手段３２と、伝送制御手段３３とを有し、接続機器２０を構成する各スイッチがオンしたときのオン信号を取り込む。
【００２５】
動作信号検出手段３１は、手動通報機２１・消火栓起動スイッチ２２・避難連絡坑扉２３・圧力スイッチ２４の平常状態・動作状態・断線状態を検出する機能を有する。切替スイッチ（図示せず）によって各端末の出力信号を切替入力する。
【００２６】
信号処理手段３２は、動作信号検出手段３１で検出した、手動通報機２１・消火栓起動スイッチ２２・避難連絡坑扉２３・圧力スイッチ２４の平常状態・動作状態・断線状態を、受信盤１０へ通知するための信号に変換する機能を有する。
【００２７】
伝送制御手段３３は、受信盤１０との間で伝送を行うための送信回路・受信回路機能を有する。
【００２８】
次に、実施例１において、信号変換器３０が正常動作した場合について説明する。
【００２９】
図２は、実施例１において、信号変換器３０が出力する信号例を示す図である。図２（１）は、実施例１において、信号変換器３０が正常動作した場合における信号変換器３０の出力信号の例を示す図である。
【００３０】
実施例１において、接続機器２０を構成する、たとえば４つのスイッチが正常に動作してオンした場合、図２（１）に示すように、切替スイッチ（図示せず）によって、サンプリングタイミングをずらし、上記４つのスイッチに対応する信号変換器３０の出力信号が同時にオンすることがなく、その後はオン状態が継続する。
【００３１】
図２（２）は、実施例１において、一過性のノイズが発生した場合における信号変換器３０の出力信号の例を示す図である。
【００３２】
実施例１において、一過性のノイズが発生すると、図２（２）に示すように、たとえば、手動通報機２１と消火栓起動スイッチ２２とが、ノイズが発生した一瞬のみ、オンする。つまり、ノイズが発生した一瞬のみ、切替スイッチ（図示せず）によってサンプリングタイミングをずらしてオンしたスイッチに対応する信号変換器３０の出力信号がオンする。
【００３３】
図２（３）は、実施例１において、動作信号検出手段３１を構成する回路基板（図示せず）が故障した場合における信号変換器３０の出力信号の例を示す図である。
【００３４】
実施例１において、動作信号検出手段３１が故障すると、接続機器２０を構成する各４つのスイッチに対応する信号変換器３０の出力信号が同時にオンする。この場合、受信盤１０が遅延を行い、この遅延後に、接続機器２０の状態を確認する。
【００３５】
そして、受信盤１０は遅延後の状態確認において、接続機器２０を構成する４つのスイッチの全てが動作状態であることを信号処理手段１２が再び確認すれば、再遅延を行う。
【００３６】
受信盤１０は、再遅延後の状態確認において、接続機器２０を構成する４つのスイッチの全てが動作状態ではないと信号処理手段１２が判断すれば、つまり３つ以下のスイッチがオンすれば、表示処理・外部警報処理手段１５が各スイッチの動作を表示する。すなわち、オンした３つ以下のスイッチがオンしたことを表示する。
【００３７】
一方、受信盤１０は再遅延後の状態確認において、接続機器２０を構成する４つのスイッチの全てが動作状態であると信号処理手段１２が判断すれば、再遅延を行う。これによって、誤表示を防止する。つまり、４つのスイッチの全てが動作状態であれば、通常、動作信号検出手段３１の故障であると考えられ、この場合には、受信盤１０は、４つのスイッチについての表示をせずに、信号処理手段１２が再遅延を繰り返す。そして、上記４つのスイッチの１つでもオフになれば、動作信号検出手段３１が正常に戻ったと信号処理手段１２が判断し、オンしているスイッチを表示する。
【００３８】
ところで、図２（１）は、各接続機器が正常に動作された場合における信号変換器３０の出力信号を示す図であり、図２（３）と同様に、ほぼ同時にＯＮされた例を示す。ところで、実際には、手動通報機２１と消火栓起動スイッチ２２と避難連絡坑扉２３と圧力スイッチ２４とのうちの複数が、同時に動作されることはありえず、図３に示すフローチャートにおける動作遅延タイマＴＭ１のカウント終了（Ｓ４）後に、該当機器が表示される。
【００３９】
つまり、図２（１）における時間軸と、図２（２）および図２（３）における時間軸とは、異なる。
【００４０】
次に、上記実施例の動作をフローチャートに沿って説明する。
【００４１】
図３は、実施例１における受信盤１０の動作を示すフローチャートである。
【００４２】
Ｓ１で、信号変換器３０の出力信号を端末伝送制御手段１１が受信し、Ｓ２で、信号変換器３０の出力信号を受信できたかどうかを判断する。Ｓ２で信号変換器３０の出力信号を受信できれば、Ｓ３で、信号処理手段１２に設けられている動作遅延タイマＴＭ１のカウント（たとえば２秒間のカウント）を開始し、Ｓ４で動作遅延タイマＴＭ１のカウントを終了する。Ｓ５で、信号変換器３０の出力信号が継続中であるかどうかを端末伝送制御手段１１が判断し、信号変換器３０の出力信号が継続中でないと判断されると、Ｓ１に戻る。
【００４３】
つまり、上記Ｓ３、Ｓ４で動作遅延タイマＴＭ１によるタイマ時間が経過した後に、信号変換器３０の出力信号が出力されていなければ、信号変換器３０から受信した出力信号に継続性がなく、一過性のノイズによる出力信号であると判断でき、上記一過性のノイズを無視することができる。この場合、Ｓ１に戻り、最初から処理が開始される。
【００４４】
信号変換器３０の出力信号が継続中であると判断されると、Ｓ６で、信号変換器３０の出力信号の数が、接続機器２０を構成するスイッチ（センサ）の数と同じであるかどうかを信号処理手段１２が判断する。信号変換器３０の出力信号の数が、接続機器２０を構成するスイッチ（センサ）の数と同じであると判断されると、Ｓ７で、信号処理手段１２に設けられている動作遅延タイマＴＭ２のカウント（たとえば１０秒間のカウント）を開始し、Ｓ８で、動作遅延タイマＴＭ２のカウントを終了する。そして、Ｓ９で、接続されているスイッチ（センサ）の数が１でなければ、Ｓ５に戻る。
【００４５】
つまり、信号変換器３０の出力信号が継続して出力され、信号変換器３０の出力信号の数が、接続機器２０を構成するスイッチ（センサ）の数と同じであれば、動作信号検出手段３１が故障したと判断することができ、センサの数が１つでない限り、動作遅延タイマＴＭ２によって遅延した後に、Ｓ５で信号変換器３０の出力信号の継続性を判断する。したがって、動作信号検出手段３１が故障により出力された出力信号による誤報を防止できる。
【００４６】
なお、接続されているスイッチ（センサ）が１つであるとＳ９で信号処理手段１２が判断すれば、Ｓ１０に進み、そのスイッチが動作したと判断している。
【００４７】
つまり、受信盤１０が、接続されているスイッチ（センサ）の数が１であるとＳ９で判断された場合、または、信号変換器３０の出力信号の数が接続機器２０を構成するスイッチ（センサ）の数と異なるとＳ６で判断されれば、Ｓ１０で、動作を確定し、Ｓ１１で、表示処理・外部警報処理手段１５が表示・警報処理を実行する。
【００４８】
実施例１では、接続されているセンサの数が１つでも、適切に対応することができる。
【００４９】
図４は、実施例１において、一過性のノイズを検出した場合、動作信号検出手段３１の故障を検出した場合のそれぞれにおける遅延動作の例と表示動作の例とを示す図である。
【００５０】
実施例１において、一過性のノイズを検出した場合、図４（１）に示すように、手動通報機２１と消火栓起動スイッチ２２と避難連絡坑扉２３と圧力スイッチ２４とについて、動作中であることが信号変換器３０から送信されても、２秒間遅延することによって、一過性のノイズであることが判明すれば、受信盤１０は、手動通報機２１と消火栓起動スイッチ２２と避難連絡坑扉２３と圧力スイッチ２４とについては、表示処理・外部警報処理手段１５が何も表示しない。これによって一過性のノイズによる誤表示を防止する。なお、図４（１）に示す例では、手動通報機２１と消火栓起動スイッチ２２と避難連絡坑扉２３と圧力スイッチ２４とが、同時に動作中となったように見えるが、実際は、図２（２）に示す例のように、図示しない切替スイッチによって、サンプリングタイミングはわずかにずれている。
【００５１】
実施例１において、動作信号検出手段３１の故障を検出した場合、図４（２）に示すように、同時に、手動通報機２１と消火栓起動スイッチ２２と避難連絡坑扉２３と圧力スイッチ２４とについて動作中であることが信号変換器３０から送信されても、１０秒間遅延する（１０秒間経過後に再び動作をチェックする）ことによって、動作信号検出手段３１は正常となり、避難連絡坑扉２３と圧力スイッチ２４とについて動作中であることが信号変換器３０から送信されずに、手動通報機２１と消火栓起動スイッチ２２とのみが信号変換器３０から送信され続ける。つまり、受信盤１０は、動作遅延タイマＴＭ２がタイムアップした後で、信号変換器３０からの手動通報機２１と消火栓起動スイッチ２２との動作信号を受信し、表示部に表示させる。
【００５２】
なお、受信盤１０は、たとえば１日に１回、動作試験と断線試験とを実行する。
【００５３】
また、上記実施例において、断線検出を実行し、表示するようにしてもよい。さらに、接続機器２０が図示しない火災検知器を有するようにしてもよい。
【００５４】
なお、端末伝送制御手段１１は、所定のスイッチ（センサ）に対応する接続機器からの出力信号を受信する受信手段の例である。また、信号処理手段１２は、上記接続機器からの上記出力信号を受信すると、所定の遅延時間が経過した後に、上記接続機器からの上記出力信号を受信しているかどうかを判断する判断手段の例である。さらに、表示処理・外部警報処理手段１５は、上記接続機器からの上記出力信号を受信していると上記判断手段が判断すると、受信している出力信号に対応するスイッチ（センサ）が作動したことを表示部に表示する表示制御手段の例である。
【００５５】
したがって、上記実施例では、所定のスイッチ（センサ）に対応する出力信号を接続機器から受信してから所定の遅延時間が経過した後に、受信している出力信号に対応するスイッチ（センサ）が作動したことを表示部に表示するので、一時的なノイズによる誤表示を防止することができる。
【００５６】
一方、端末伝送制御手段１１は、複数種類のスイッチ（センサ）に対応する接続機器からの複数の出力信号を受信する受信手段の例である。また、信号処理手段１２は、複数種類のスイッチ（センサ）に対応する上記接続機器からの複数の出力信号の全てを同時に受信すると、第１の遅延時間が経過した後に、上記複数の出力信号の全てを受信しているかどうかを判断する第１の判断手段の例である。さらに、信号処理手段１２は、第１の遅延時間が経過した後に、上記複数の出力信号の全てを受信していると上記第１の判断手段が判断すると、第２の遅延時間が経過した後に、上記複数の出力信号の全てを受信しているかどうかを判断する第２の判断手段の例である。そして、表示処理・外部警報処理手段１５は、全ての上記複数の出力信号の少なくとも１つを受信していないと上記第２の判断手段が判断すると、受信している出力信号に対応するセンサが作動したことを表示部に表示する表示制御手段の例である。
【００５７】
したがって、接続機器２０を構成する各スイッチの全てが同時に作動している場合は、動作信号検出手段３１の基板が故障していることが多く、これによる誤表示を防止するために、上記実施例では、遅延動作により全てのスイッチ（センサ）の出力信号の少なくとも１つを受信していなくなれば、受信している出力信号に対応するスイッチ（センサ）が作動したことを表示部に表示することによって、誤表示を防止することができる。
【００５８】
また、上記実施例において、上記接続機器は、トンネル内に設置される手動通報機、消火栓起動スイッチ、圧力スイッチ、避難連絡坑扉、火災検知器等のうちの少なくとも１つである。さらに、上記第１の遅延の時間を、上記第２の遅延の時間よりも短く設定してもよく、このようにすることによって、一過性のノイズが少ない場合に好適である。また、上記第１の遅延の時間を、上記第２の遅延の時間よりも長く設定してもよく、これによって、一過性のノイズが短時間に多発する場合に好適である。なお、上記第１の遅延の時間と、上記第２の遅延の時間とが互いに同じ長さであるように設定してもよい。
【符号の説明】
【００５９】
１００…防災システム、  １０…受信盤、  １２…信号処理手段、  ２０…接続機器、
２１…手動通報機、  ２２…消火栓起動スイッチ、  ２３…避難連絡坑扉、
２４…圧力スイッチ、  ３０…信号変換器、  ３１…動作信号検出手段。
【図１】
0005600025.tif 000002
【図２】
0005600025.tif 000003
【図３】
0005600025.tif 000004
【図４】
0005600025.tif 000005